(57)【要約】【課題】水漏れのない安全なアイロン掛けができるスチームアイロンを提供する。【解決手段】ヒータ３で加熱されるベース４に形成されスチームを生成する気化室５と、スチームを噴出する複数のスチーム穴６と、水タンク（図示せず）から水を気化室５へ導く導水体（図示せず）と、気化室５に配設され、気化室５が水の気化温度以上に加熱されている時にのみ導水体を開放して水を通過させる熱応動開閉弁装置９とを備え、気化室５は、水が滴下される滴下部１０と、スチーム穴６にスチームを排出する出口部１１とを備え、熱応動開閉弁装置９と滴下部１０との間、及び熱応動開閉弁装置９と出口部１１とを間のそれぞれを第１、第２の壁面１２、１３のみで仕切るもので、熱応動開閉弁装置９と滴下部１０、出口部１１の熱受感が良くなって、気化室５の温度変化にすばやく追従して導水体の通路が開閉されるので、水漏れのないスチームアイロンを提供できる。【選択図】図１
2008093087.tif 000002
【特許請求の範囲】
【請求項１】
ヒータによって加熱されるベースと、前記ベースに形成されスチームを生成する気化室と、スチームを噴出させる複数のスチーム穴と、水を貯える水タンクと、前記水タンクから水を前記気化室へ導く導水体と、前記気化室に配設され、前記気化室が水の気化温度以上に加熱されているときにのみ前記導水体を開放状態で保持して、水を通過させる熱応動開閉弁装置とを備え、前記気化室は、前記導水体からの水が滴下される滴下部と、前記スチーム穴にスチームを排出する出口部とを備え、前記熱応動開閉弁装置と前記滴下部との間、及び前記熱応動開閉弁装置と前記出口部との間をそれぞれを一つの壁面のみで仕切って構成したスチームアイロン。
【請求項２】
熱応動開閉弁装置と出口部とをただ１つの壁面を挟んで隣接させて設けた請求項１に記載のスチームアイロン。
【請求項３】
ヒータによって加熱されるベースと、前記ベースに形成されスチームを生成する気化室と、スチームを噴出させる複数のスチーム穴と、水を貯える水タンクと、前記水タンクから水を前記気化室へ導く導水体と、前記気化室に配設され、前記気化室が水の気化温度以上に加熱されているときにのみ前記導水体を開放状態に保持して、水を通過させる熱応動開閉弁装置とを備え、前記気化室は、前記導水体からの水が滴下される滴下部と、前記スチーム穴にスチームを排出する出口部とを備え、前記熱応動開閉弁装置と前記滴下部の間に第１の壁面を形成し、前記熱応動開閉弁装置と前記出口部の間に第２の壁面を形成し、前記滴下部と前記出口部の間に第３の壁面を構成し、前記第１〜３の壁面を接続する接続部を、前記熱応動開閉弁装置と前記滴下部と前記出口部のそれぞれの中心を結んで形成される３角形の範囲内に配設したスチームアイロン。
【請求項４】
ヒータを屈曲部で屈曲させて略Ｕ字状とし、熱応動開閉弁装置を前記屈曲部に近接させて設けた請求項１〜３のいずれか１項に記載のスチームアイロン。
【請求項５】
滴下部から出口部に至る気化室内に複数のガイドリブを設けた請求項１〜４のいずれか１項に記載のスチームアイロン。
【発明の詳細な説明】
【技術分野】
【０００１】
本発明は、衣類等のしわ伸ばしに用いられるスチームアイロンに関するものである。
【背景技術】
【０００２】
図４は、従来のこの種のスチームアイロンの内部構造を示す平面図である。
【０００３】
図４において、従来のスチームアイロンは、ヒータ３によって加熱されるベース４と、スチームを発生させる気化室５と、気化室５で発生したスチームを外部に噴出させるスチーム穴６と、ベース４の温度を感知して導水体（図示せず）の通路を開閉し水の流れを制御する熱応動弁開閉装置９と、スチーム穴６にスチームを排出する出口部１１と、熱応動開閉弁装置９と気化室５の間に形成された第１の壁面１２と、気化室５と出口部１１の間に形成された第２の壁面１３とを備えている。
【０００４】
以上のように構成された従来のスチームアイロンのスチーム発生のメカニズムは、以下の通りである。
【０００５】
ヒータ３によって加熱された気化室５に、水タンク（図示せず）から導水体を通った水が滴下することにより、水が気化されスチームを発生する。そして気化室５の温度がスチームを発生させることができる温度以下になると、熱応動開閉弁装置９が熱を感知して導水体の通路を閉塞し、気化室５への水を遮断し、気化室５が再加熱され、スチームを発生させることができる温度以上になると、導水体の通路を開放し、再びスチームを発生させるようになっている（例えば、特許文献１参照）。
【特許文献１】特開２００４−１２９９２１号公報
【発明の開示】
【発明が解決しようとする課題】
【０００６】
しかしながら、従来のスチームアイロンでは、図４に示すように、熱応動開閉弁装置９と出口部１１を仕切る壁面が、第１の壁面１２と第２の壁面１３の２つで構成され、熱応動開閉弁装置９と出口部１１が離れているため、スチームを発生させた時、出口部１１付近の熱の受感が悪くなり、熱応動開閉弁装置９の応答性が不十分で、気化室５の気化能力が不十分になっても、すぐに導水体の通路を閉塞させることが困難になり、最悪の場合、スチーム穴６から水漏れが発生するという課題があった。
【０００７】
本発明は、前記従来の課題を解決するもので、水漏れのない安全なアイロン掛けができるスチームアイロンを提供することを目的とする。
【課題を解決するための手段】
【０００８】
前記従来の課題を解決するために、本発明のスチームアイロンは、ヒータによって加熱されるベースと、前記ベースに形成されスチームを生成する気化室と、スチームを噴出させる複数のスチーム穴と、水を貯える水タンクと、前記水タンクから水を前記気化室へ導く導水体と、前記気化室に配設され、前記気化室が水の気化温度以上に加熱されているときにのみ前記導水体を開放状態で保持して、水を通過させる熱応動開閉弁装置とを備え、前記気化室は、前記導水体からの水が滴下される滴下部と、前記スチーム穴にスチームを排出する出口部とを備え、前記熱応動開閉弁装置と前記滴下部との間、及び前記熱応動開閉弁装置と前記出口部との間をそれぞれを一つの壁面のみで仕切って構成したもので、熱応動開閉弁装置と滴下部、出口部の熱受感が良くなって、気化室の温度変化にすばやく追従して導水体の通路が開閉されるので、温度が水の気化温度以下の気化室に水が供給されることが無く、水漏れのない安全なアイロン掛けができるスチームアイロンを提供することができる。
【０００９】
又、本発明のスチームアイロンは、ヒータによって加熱されるベースと、前記ベースに形成されスチームを生成する気化室と、スチームを噴出させる複数のスチーム穴と、水を貯える水タンクと、前記水タンクから水を前記気化室へ導く導水体と、前記気化室に配設され、前記気化室が水の気化温度以上に加熱されているときにのみ前記導水体を開放状態に保持して、水を通過させる熱応動開閉弁装置とを備え、前記気化室は、前記導水体からの水が滴下される滴下部と、前記スチーム穴にスチームを排出する出口部とを備え、前記熱応動開閉弁装置と前記滴下部の間に第１の壁面を形成し、前記熱応動開閉弁装置と前記出口部の間に第２の壁面を形成し、前記滴下部と前記出口部の間に第３の壁面を構成し、前記第１〜３の壁面を接続する接続部を、前記熱応動開閉弁装置と前記滴下部と前記出口部のそれぞれの中心を結んで形成される３角形の範囲内に配設したもので、滴下部と出口部各々の熱の変化に熱応動開閉弁装置が即反応して、導水体の通路が瞬時に開閉されるので、温度が水の気化温度以下の気化室に水が供給されることが無く、水漏れのない安全なアイロン掛けができるスチームアイロンを提供することができる。
【発明の効果】
【００１０】
本発明のスチームアイロンは、気化室の温度変化にすばやく追従して熱応動開閉弁装置を開閉させて、水漏れのない安全なアイロン掛けをすることができる。
【発明を実施するための最良の形態】
【００１１】
第１の発明は、ヒータによって加熱されるベースと、前記ベースに形成されスチームを生成する気化室と、スチームを噴出させる複数のスチーム穴と、水を貯える水タンクと、前記水タンクから水を前記気化室へ導く導水体と、前記気化室に配設され、前記気化室が水の気化温度以上に加熱されているときにのみ前記導水体を開放状態で保持して、水を通過させる熱応動開閉弁装置とを備え、前記気化室は、前記導水体からの水が滴下される滴下部と、前記スチーム穴にスチームを排出する出口部とを備え、前記熱応動開閉弁装置と前記滴下部との間、及び前記熱応動開閉弁装置と前記出口部との間をそれぞれを一つの壁面のみで仕切って構成したもので、熱応動開閉弁装置と滴下部、出口部の熱受感が良くなって、気化室の温度変化にすばやく追従して導水体の通路が開閉されるので、温度が水の気化温度以下の気化室に水が供給されることが無く、水漏れのない安全なアイロン掛けができるスチームアイロンを提供することができる。
【００１２】
第２の発明は、特に、第１の発明の熱応動開閉弁装置と出口部とをただ１つの壁面を挟んで隣接させて設けたもので、出口部付近の熱の変化に熱応動開閉弁装置が即反応して、導水体の通路が瞬時に開閉されるようになり、水漏れのない安全なアイロン掛けができるスチームアイロンを提供することができる。
【００１３】
第３の発明は、ヒータによって加熱されるベースと、前記ベースに形成されスチームを生成する気化室と、スチームを噴出させる複数のスチーム穴と、水を貯える水タンクと、前記水タンクから水を前記気化室へ導く導水体と、前記気化室に配設され、前記気化室が水の気化温度以上に加熱されているときにのみ前記導水体を開放状態に保持して、水を通過させる熱応動開閉弁装置とを備え、前記気化室は、前記導水体からの水が滴下される滴下部と、前記スチーム穴にスチームを排出する出口部とを備え、前記熱応動開閉弁装置と前記滴下部の間に第１の壁面を形成し、前記熱応動開閉弁装置と前記出口部の間に第２の壁面を形成し、前記滴下部と前記出口部の間に第３の壁面を構成し、前記第１〜３の壁面を接続する接続部を、前記熱応動開閉弁装置と前記滴下部と前記出口部のそれぞれの中心を結んで形成される３角形の範囲内に配設したもので、滴下部と出口部各々の熱の変化に熱応動開閉弁装置が即反応して、導水体の通路が瞬時に開閉されるので、温度が水の気化温度以下の気化室に水が供給されることが無く、水漏れのない安全なアイロン掛けができるスチームアイロンを提供することができる。
【００１４】
第４の発明は、特に、第１〜３のいずれか一つの発明のヒータを屈曲部で屈曲させて略Ｕ字状とし、熱応動開閉弁装置を前記屈曲部に近接させて設けたもので、熱量の多い屈曲部に熱応動開閉弁装置、滴下部、出口部が近づくことになり、水漏れを起こさない安定したスチームを提供することができると共に、熱量が多いので水を気化させる時間が長くなり、使用時間が増加し、使い勝手のよいスチームアイロンを提供することができる。
【００１５】
第５の発明は、特に、第１〜４のいずれか一つの発明の滴下部から出口部に至る気化室内に複数のガイドリブを設けたもので、水が気化する通路が長くなってスチームの生成が促進されるので、より水漏れのない安全なアイロン掛けができるスチームアイロンを提供することができる。
【００１６】
以下、本発明の実施の形態について、図面を参照しながら説明する。なお、本実施の形態によって本発明が限定されるものではない。
【００１７】
（実施の形態１）
図１は、本発明の第１の実施の形態におけるスチームアイロンの気化室を示す平面図、図２、図３は、同スチームアイロンの要部断面図である。
【００１８】
図１、図２、図３において、スチームアイロンのアイロン本体１は、屈曲部２で屈曲させて略Ｕ字状としたヒータ３により加熱されるベース４と、ベース４の上面に通常スチームを発生させる気化室５と、気化室５から発生したスチームをベース４の下面に噴出させるスチーム穴６と、気化室５に水を供給する水タンク７と、水タンク７から水を気化室５に導く導水体８と、気化室５に配設され、気化室５が水の気化温度以上に加熱されているときのみ導水体８を開放状態に保持し、水を通過させる熱応動弁開閉装置９と、導水体８から水が滴下される滴下部１０と、スチーム穴６にスチームを排出する出口部１１と、熱応動開閉弁装置９と滴下部１０の間に配された第１の壁面１２と、熱応動開閉弁装置９と出口部１１の間に配された第２の壁面１３と、滴下部１０と出口部１１の間に配された第３の壁面１４と、第１の壁面１２、第２の壁面１３、第３の壁面１４の３つの壁面を接続する接続部１５とを備えている。
【００１９】
なお、熱応動弁開閉装置９は、導水体８の開口部１６を開閉する弁体１７と、水タンク７下方に対向して配設してあり、弁体１７の下端に対向して気化室５に配設し、気化室５の熱を感知して急速に反転動作を行うよう湾曲形成したバイメタル製の熱応動部材１８と、弁体１７の下端と熱応動部材１８の略中央部で連係し、開口部１６を閉じる方向へ弁体１７を付勢する弁体バネ１９とを備えている。
【００２０】
なお、熱応動開閉弁装置９と出口部１１は隣接させて配設しており、熱応動開閉弁装置９は、ヒータ３の屈曲部２に近接させて配設している。
【００２１】
又、滴下部１０から出口部１１に至る気化室５内部に複数のガイドリブ２０を配設している。
【００２２】
その他の構成は、従来よく知られたスチームアイロンと同様であるので、詳しい説明は省略する。
【００２３】
以上のように構成されたスチームアイロンの作用、動作について、以下に説明する。
【００２４】
なお、スチームアイロンとしての基本的な動作は、従来よく知られたものと同様であるので、詳しい説明は省略する。
【００２５】
スチームを噴出させてアイロン掛けをする場合、気化室５が水の気化温度以上に加熱されると、熱応動部材１８は、気化室５の温度を感知して気化室５から離れるように上方へ反転動作し、弁体バネ１９の付勢力に抗して弁体１７を上方へ押し上げて導水体８の開口部１６を開状態にする。
【００２６】
そして、水タンク７内の水は、導水体８を通って気化室５に供給され、そこでスチームが生成され、出口部１１を通ってスチーム穴６からスチームが噴出する。使用中に滴下部１０あるいは出口部１１付近の気化室５が水の気化温度以下になった場合、熱応動開閉弁装置９と滴下部１０、出口部１１が１つの壁面だけで構成されているので、熱応動開閉弁装置９の熱応動部材１８への熱の受感がよくなり、気化室５の温度変化にすばやく追従して導水体８の通路を開閉することができ、水漏れのない安全なアイロン掛けができるスチームアイロンを提供することができる。
【００２７】
また、熱応動開閉弁装置９と出口部１１はただ１つの壁面を挟んで隣接させて設けることにより、出口部１１付近の熱の変化に、熱応動開閉弁装置９の熱応動部材１８が即反応して、導水体８の通路を開閉することができるので、水漏れのない安全なアイロン掛けができるスチームアイロンを提供することができる。
【００２８】
また、熱応動開閉弁装置９と滴下部１０との間に第１の壁面１２を構成し、熱応動開閉弁装置９と出口部１１との間に第２の壁面１３を構成し、滴下部１０と出口部１１との間に第３の壁面１４を構成し、第１〜３の壁面１２〜１４の３つの壁面を接続する接続部１５を、熱応動開閉弁装置９と、滴下部１０と、出口部１１のそれぞれ中心を結んで形成される３角形（図１の細線）の範囲内に設けることにより、滴下部１０と出口部１１各々の熱の変化に熱応動開閉弁装置９の熱応動部材１８が即反応することができ、導水体８の通路を開閉するので、水漏れのない安全なアイロン掛けができるスチームアイロンを提供することができる。
【００２９】
またヒータ３の略Ｕ字状に屈曲させた屈曲部２に熱応動開閉弁装置９を近接させて設けたので、熱量の多い屈曲部２に、熱応動開閉弁装置９、滴下部１０、出口部１１が近づくことになり、水漏れを起こさない安定したスチームを提供するとともに、熱量が多いので水を気化させる時間が長くなり、使用時間が増加し、使い勝手のよいスチームアイロンを提供することができる。
【００３０】
また滴下部１０から出口部１１に至る気化室５内部に複数のガイドリブ２０を設けることにより、水の気化する通路が長くなり、水漏れのない安全なアイロン掛けができるスチームアイロンを提供することができる。
【産業上の利用可能性】
【００３１】
以上のように、本発明にかかるスチームアイロンは、熱応動開閉弁装置と滴下部、熱応動開閉弁装置と出口部をそれぞれ仕切る壁面が１つだけなので、熱応動開閉弁装置と滴下部、出口部の熱受感が良くなって、気化室の温度変化にすばやく追従して導水体の通路が開閉されるので、水漏れが無く、使用勝手の良いもので、家庭用、業務用のスチームアイロンに広く適用できる。
【図面の簡単な説明】
【００３２】
【図１】本発明の実施の形態１におけるスチームアイロンの気化室を示す平面図
【図２】同スチームアイロンの要部断面図（熱応動開閉弁装置と出口部）
【図３】同スチームアイロンの要部断面図（熱応動開閉弁装置と滴下部）
【図４】従来のスチームアイロンの内部構造を示す平面図
【符号の説明】
【００３３】
１  アイロン本体
２  屈曲部
３  ヒータ
４  ベース
５  気化室
６  スチーム穴
７  水タンク
８  導水体
９  熱応動開閉弁装置
１０  滴下部
１１  出口部
１２  第１の壁面
１３  第２の壁面
１４  第３の壁面
１５  接続部
１６  開口部
１７  弁体
１８  熱応動部材
１９  弁体バネ
２０  ガイドリブ
【図１】
2008093087.tif 000003
【図２】
2008093087.tif 000004
【図３】
2008093087.tif 000005
【図４】
2008093087.tif 000006